(57)【要約】【課題】避雷装置回りに形成されるプラス電荷の領域を極力小さくして、上向きストリーマの発生を効果的に抑制する。【解決手段】接地される内側電極体２と、この内側電極体を、所定の隙間Ｇをおいて包み込むようにして設けられる外側電極体３と、前記隙間に設けられ、前記内側電極体と外側電極体とを電気絶縁状態に保持する電気絶縁層Ｓと、前記内側電極体および外側電極体の少なくとも一方を支持する支持体４とを備え、前記内側電極体が棒状に形成され、前記外側電極体が筒状に形成されていることを特徴とする。【選択図】図２
2019083169.tif 000002
【特許請求の範囲】
【請求項１】
接地される内側電極体と、この内側電極体を、所定の隙間をおいて包み込むようにして設けられる外側電極体と、前記隙間に設けられ、前記内側電極体と外側電極体とを電気絶縁状態に保持する電気絶縁層と、前記内側電極体および外側電極体の少なくとも一方を支持する支持体とを備え、前記内側電極体が棒状又は筒状に形成され、前記外側電極体が筒状に形成されていることを特徴とする落雷抑制型避雷器。
【請求項２】
前記支持体が、前記外側電極体を径方向に貫通してその内部に突出させられているとともに、この外側電極体の内部に位置させられている前記内側電極体に電気的に導通状態で連結され、かつ、前記支持体と前記外側電極体との貫通部に、この外側電極体を前記支持体に支持させる電気絶縁材料からなるスペーサーが介装されていることを特徴とする請求項１に記載の落雷抑制型避雷器。
【請求項３】
前記支持体が、前記外側電極体の長さ方向の一端部からその内部へ挿入されるとともに、この外側電極体の内部に位置させられている前記内側電極体に電気的に導通状態で連結され、かつ、前記外側電極体の一端部と前記支持体との間に、前記外側電極体を前記支持体に支持させる電気絶縁材料からなるスペーサーが介装されていることを特徴とする請求項１に記載の落雷抑制型避雷器。
【請求項４】
前記電気絶縁層が、前記内側電極体と前記外側電極体のそれぞれの両端部間に介装された電気絶縁材料からなるスペーサーと、これらのスペーサーと前記内側電極体および前記外側電極体とによって形成される空間部とによって形成されていることを特徴とする請求項１ないし請求項３の何れかに記載の落雷抑制型避雷器。
【請求項５】
前記電気絶縁層が、前記内側電極体と前記外側電極体との隙間に介装された電気絶縁材料からなるスペーサーによって形成されていることを特徴とする請求項１ないし請求項３の何れかに記載の落雷抑制型避雷器。
【請求項６】
前記外側電極体の側壁に、その内外部を連通させる貫通孔が形成されていることを特徴とする請求項１ないし請求項５の何れかに記載の落雷抑制型避雷器。
【請求項７】
請求項１ないし請求項６の何れかに記載の落雷抑制型避雷器を、落雷を抑制すべき位置に、前記支持体を介して固定するとともに、この支持体を介して前記内側電極体を接地してなることを特徴とする落雷抑制型避雷装置。
【発明の詳細な説明】
【技術分野】
【０００１】
本発明は、落雷を抑制することで、雷害から建築物や設備機器等の被保護体を保護するための落雷抑制型避雷器および避雷装置に関するものである。
【背景技術】
【０００２】
落雷は大気中で起こる放電現象であり、雷放電には雲内放電、雲間放電、雲―大地間放電等がある。雷放電で大きな被害を出すのは雲―大地間放電（以下落雷）である。落雷は雷雲（雲底）と大地または大地等に建設された構造物との間の電界強度が非常に大きくなり、その電荷が飽和状態となって大気の絶縁を破壊したときに発生する現象である。
【０００３】
落雷の現象を詳細に観察すると、夏季に起こる一般的な落雷（夏季雷）の場合、雷雲が成熟すると雷雲からステップトリーダが大気の放電しやすいところを選びながら大地に近づいてくる。
ステップトリーダが大地とある程度の距離になると大地または建築物（避雷針）、木などからステップトリーダに向かって、微弱電流の上向きストリーマ（お迎え放電）が伸びてくる。
このストリーマとステップトリーダが結合すると、その経路を通って、雷雲と大地間に大電流（帰還電流）が流れる。
これが落雷現象である。
【０００４】
このような落雷現象に対し、従来の雷保護概念では、落雷は防止できないものとの観点から、落雷を突針型避雷針（フランクリンロッド）に受けて大地に流す方式が大半であった。
【０００５】
これに対し、本発明者等は、落雷の発生を極力抑制することによって被保護体を保護すべく、特許文献１に示される落雷抑制型避雷装置を提案した。
【０００６】
この落雷抑制型避雷装置は、絶縁体を挟んで配置される上部電極体および下部電極体を有し、下部電極体のみを接地して構成したものである。
【０００７】
そして、たとえばマイナス電荷が雲底に分布した雷雲が近づくと、それとは逆の電荷（プラス電荷）が大地の表面に分布し、接地されている下部電極体にもプラス電荷が集まる。
【０００８】
すると、絶縁体を介して配置されている上部電極体は、コンデンサの作用でマイナス電荷を帯びることとなる。
【０００９】
この作用により、避雷装置とその周辺における上向きストリーマの発生を起こりにくくして落雷の発生を抑制するようにしている。
【先行技術文献】
【特許文献】
【００１０】
【特許文献１】特許第５８３９３３１号公報
【発明の概要】
【発明が解決しようとする課題】
【００１１】
前述した本発明者等による先の提案によって、避雷装置を中心とした円状の保護領域において落雷を抑制できるようになった。
【００１２】
しかしながら、先の提案においては、避雷装置の下部構成体である下部電極体に、プラス電荷の領域が形成されることから、落雷のエネルギーによっては、前記下部電極体への落雷が想定されることから、前述したプラス電荷の領域を極力狭くする必要があるとの知見に至った。
【課題を解決するための手段】
【００１３】
本発明は、前述した知見に基づいてなされたもので、接地される内側電極体と、この内側電極体を、所定の隙間をおいて包み込むようにして設けられる外側電極体と、前記隙間に設けられ、前記内側電極体と外側電極体とを電気絶縁状態に保持する電気絶縁層と、前記内側電極体および外側電極体の少なくとも一方を支持する支持体とを備え、前記内側電極体が棒状又は筒状に形成され、前記外側電極体が筒状に形成されていることを特徴としている。
【００１４】
このような構成とすることにより、接地される内側電極体のほぼ全体を外側電極体で包み込む形態で覆い、かつ、この外側電極体が、前記内側電極体に対し電気絶縁状態で配置された落雷抑制型避雷器とすることができる。
【００１５】
このような構成の落雷抑制型避雷器は、前記支持体によって、落雷を抑制すべき場所に設置されるとともに、この支持体を介して、前記内側電極体が大地へ接地されて落雷抑制型避雷装置として用いられる。
【００１６】
そして、マイナス電荷が雲底に分布した雷雲が近づくと、それとは逆の電荷（プラス電荷）が大地の表面に分布し、この大地に接地された前記内側電極体にもプラス電荷が集まるようになる。
【００１７】
すると、前記内側電極体に電気絶縁層を介して配置されている前記外側電極体は、コンデンサの作用でマイナス電荷を帯びる。
この作用により、前記外側電極体とその周辺における上向きストリーマの発生を起こりにくくし、落雷の発生を抑制することができる。
【００１８】
ここで、筒状に形成された前記外側電極体によって、棒状又は筒状に形成された前記内側電極体が全体的に包み込まれていることから、避雷装置の回りの殆どがマイナス電荷で覆われることとなる。
したがって、避雷装置におけるプラス電荷の領域が極めて小さく抑えられ、雷雲接近時における上向きストリーマの発生を効果的に抑制することができる。この結果、落雷抑制効果を高めることができる。
【００１９】
本発明の落雷抑制型避雷器では、前記支持体が、前記外側電極体を径方向に貫通してその内部に突出させられているとともに、この外側電極体の内部に位置させられている前記内側電極体に電気的に導通状態で連結され、かつ、前記支持体と前記外側電極体との貫通部に、この外側電極体を前記支持体に支持させる電気絶縁材料からなるスペーサーが介装された構成とすることができる。
【００２０】
このような構成とすることにより、前記支持体を用いて設置して落雷抑制型避雷装置を構成した状態において、前記外側電極体を略水平状態に保持するとともに、この外側電極体によって前記支持体の上方を覆うことができる。
【００２１】
これによって、前記外側電極体によって形成されるマイナス電荷領域を水平方向に大きく確保することができ、かつ、このマイナス電荷領域によって、プラス電荷を帯びる前記支持体を覆い隠すことができる。
【００２２】
この結果、落雷抑制型避雷装置のプラス電荷領域を広いマイナス電荷領域によって覆って、雲底へ向かう上向きストリーマの発生を、さらに効果的に抑制することができる。
【００２３】
本発明の落雷抑制型避雷器では、前記支持体が、前記外側電極体の長さ方向の一端部からその内部へ挿入されるとともに、この外側電極体の内部に位置させられている前記内側電極体に電気的に導通状態で連結され、かつ、前記外側電極体の一端部と前記支持体との間に、前記外側電極体を前記支持体に支持させる電気絶縁材料からなるスペーサーが介装された構成とすることもできる。
【００２４】
このような構成とすることにより、前記支持体を用いて設置して落雷抑制型避雷装置を構成した状態において、前記外側電極体を略鉛直状態に保持することができる。
【００２５】
これによって、前記外側電極体により、プラス電荷を帯びる前記支持体の上方に、鉛直方向に大きく延びるマイナス電荷領域を確保することができる。
【００２６】
この結果、落雷抑制型避雷装置のプラス電荷領域を広いマイナス電荷領域によって覆って、雲底へ向かう上向きストリーマの発生を効果的に抑制することができる。
【００２７】
本発明では、前記電気絶縁層は、前記内側電極体と前記外側電極体のそれぞれの両端部間に介装された電気絶縁材料からなるスペーサーと、これらのスペーサーと前記内側電極体および前記外側電極体とによって形成される空間部とによって形成される。
【００２８】
あるいは、前記内側電極体と前記外側電極体との隙間に介装された電気絶縁材料からなるスペーサーによって形成される。
【００２９】
また、前記外側電極体の側壁に、その内外部を連通させる貫通孔が形成された構成とすることができる。
【００３０】
このような構成とすることにより、前記内側電極体と前記外側電極体との間に形成されている隙間内の圧力が上昇した際に、前記貫通孔によって前記隙間内の気体を外部へ放出して、前述した内部圧力の上昇による各構成部材の破損を防止することができる。
【発明の効果】
【００３１】
本発明の落雷抑制型避雷器を用いた避雷装置によれば、避雷装置周りに形成されるプラス電荷の領域を極力小さくして、上向きストリーマの発生を効果的に抑制し、これによって、落雷抑制効果を高めることができる。
また、本発明の避雷器によれば、上記の効果に加えて、構造の簡素化や軽量化、製作性の向上等を図ることができる。
【図面の簡単な説明】
【００３２】
【図１】本発明の落雷抑制型避雷器の第１の実施形態を示す正面図である。
【図２】本発明の落雷抑制型避雷器の第１の実施形態を示す縦断面図である。
【図３】本発明の落雷抑制型避雷器の第１の実施形態を用いた避雷装置におけるストリーマ発生抑制作用を説明するための概略図である。
【図４】本発明の落雷抑制型避雷器の第２の実施形態を示す正面図である。
【図５】本発明の落雷抑制型避雷器の第２の実施形態を示す縦断面図である。
【図６】本発明の落雷抑制型避雷器の第３の実施形態を示す縦断面図である。
【図７】本発明の落雷抑制型避雷器の第４の実施形態を示す縦断面図である。
【図８】本発明の落雷抑制型避雷器の第５の実施形態を示す縦断面図である。
【発明を実施するための形態】
【００３３】
以下、本発明の第１の実施形態について、図１ないし図３を参照して説明する。
図１において、符号１は本実施形態に係わる落雷抑制型避雷器（以下、避雷器と略称する）を示す。なお、本発明の実施形態において、避雷器とは、図１および図２に示すように、その内側電極体が接地されていない状態の構成を意味している。また、避雷装置とは、図３に示すように避雷器１Ａ部分の内側電極体が支持体等を介して接地されていて避雷機能を発揮可能な構成を意味している。
【００３４】
本実施形態の避雷器１は、図２に詳述するように、内側電極体２と、この内側電極体２を、所定の隙間Ｇをおいて包み込むようにして設けられた外側電極体３と、内側電極体２と外側電極体３とを電気絶縁状態に保持する電気絶縁層Ｓとを備えている。
【００３５】
前記内側電極体２は棒状に形成され、前記外側電極体３は、内側電極体２をその長さ方向全長に亙って覆う筒状に形成されており、何れも、良電導体であるステンレスによって形成されている。内側電極体２としては、棒状に限らず、筒状に形成したものでも良い。
【００３６】
前記絶縁層Ｓは、本実施形態においては、内側電極体２および外側電極体３の両端部に配置され、これらを所定の間隔に保持する電気絶縁材料によって形成された一対のスペーサーＳ１と、これらのスペーサーＳ１と内側電極体２および外側電極体３とによって形成される隙間Ｇの空間部によって構成されている。この隙間Ｇは、必要な落雷抑制機能に応じて適宜設定される。
【００３７】
内側電極体２は、その両端部に螺子部２ａが形成されており、外側電極体３の両端部に嵌合係止される各スペーサーＳ１がそれぞれ螺着させられるようになっている。
【００３８】
この状態において、各スペーサーＳ１は、その一部が外側電極体３の各端部に嵌合させられるとともに、外側電極体２の各端面に当接させられた状態に保持されている。
【００３９】
これによって、内側電極体２が、外側電極体３の中心位置に同心状に保持されるとともに、各スペーサーＳ１と隙間Ｇの空気層によって形成されている電気絶縁層Ｓにより、外側電極体３に対し電気絶縁状態に保持されている。
【００４０】
前記外側電極体３の側壁には、その長さ方向のほぼ中間部に挿入孔３ａが形成されおり、この挿入孔３ａを介して、内側電極体２に電気的に接続される支持体４の一端部が外側電極体３内に挿入されるようになっている。
【００４１】
前記支持体４の、前記外側電極体３内に挿入される一端部には螺子部４ａが形成されており、この螺子部４ａが、内側電極体２に、その径方向に沿って形成されている雌ねじ部２ｂに螺合させられることにより、支持体４が内側電極体２に連結されている。
【００４２】
また、支持体４の他端部には、固定用のプレート５が装着されており、このプレート５を介して、本実施形態の避雷器１が設置位置に固定されるようになっている。なお、この固定用のプレート５は、高さ調整用の筒状部材（図示せず）等に固定される場合もある。
【００４３】
また、前記支持体４およびプレート５は、良電導体によって形成されており、前述したように、プレート５を設置位置に固定した状態において大地に接地されることにより、内側電極体２が接地されるようになっている。
【００４４】
さらに、前記挿入孔３ａには、外側電極体３と支持体４との隙間を埋めるとともに、両者間を電気絶縁状態に保持する、電気絶縁材料によって形成されたスペーサーＳ２が介装されている。
【００４５】
前記スペーサーＳ２は、挿入孔３ａ内に挿入されて内側電極体２の側面に当接させられる小径部ａと、外側電極体３の外側面に当接させられる大径部ｂとを備えている。
【００４６】
図１および図２において符号６は、支持体４に螺合させられて、前記スペーサーＳ２を外側電極体３の外面へ向けて押圧するロックナットを示している。符号７は、前記支持体４を前記プレート５へ固定するためのロックナットを示す。
【００４７】
一方、前記外側電極体３の側壁には、その内外部を連通させる貫通孔８が形成されており、この貫通孔８からの気体の流出により外側電極体３内の圧力上昇を抑制するようになっている。
【００４８】
このように構成された本実施形態の避雷器１は、前記支持体４や前記プレート５、あるいは、追加の支持部材（連結用の棒状部材や筒状部材）や長尺部材等を用いて、落雷から保護すべき被保護体に、あるいは、その近傍に設置されて、図３に示すように、避雷装置Ｚを構成する。
【００４９】
この状態において、支持体４が大地Ｅに直接、あるいは、接地線等を介して接地される。
【００５０】
ついで、このように設置された本実施形態の避雷装置Ｚによる落雷抑制機能について説明する。
【００５１】
図３に示すように、マイナス電荷が雲底に分布した雷雲Ｃが近づくと、それとは逆の電荷（プラス電荷）が大地Ｅの表面に分布し、この大地Ｅに前記支持体４を介して接地されている前記内側電極体２にも、図２に示すように、プラス電荷が集まる。
【００５２】
一方、前記内側電極体２に電気絶縁層Ｓを介して対峙されている外側電極体３は、コンデンサの作用でマイナス電荷を帯びる。
この作用により、外側電極体３とその周辺における上向きストリーマの発生が起こりにくく、この結果、落雷の発生を抑制する。
【００５３】
そして、前記外側電極体３が、内側電極体２のほぼ全周を覆うように設けられていることにより、本実施形態の避雷装置１の上端部の殆どがマイナス電荷を帯びる。
【００５４】
また、本実施形態においては、前記外側電極体３が略水平状態に保持されていることにより、前記マイナスイオンの領域が水平方向に広く形成されるとともに、プラスイオンを帯びる前記支持体４が前記マイナスイオン領域によって覆われる。
【００５５】
これによって、上向きストリーマを生じさせるプラス電荷の領域を大幅に減少させることができ、落雷抑制効果を大幅に向上させることができる。
【００５６】
図４および図５は、本発明の第２の実施形態を示す。
これらの図に符号２０で示す本実施形態の避雷器は、設置用部材となる支持体２１が、良電導体によって形成された外側電極体２３の長さ方向の一端部からその内部へ挿入されるとともに、外側電極体２３の内部に位置させられている良電導体によって形成された内側電極体２２に電気的に導通状態で連結され、かつ、外側電極体２３の一端部と支持体２１との間に、外側電極体２３を支持体２１に支持させる電気絶縁材料からなるスペーサーＳ３が介装された構成としたものである。
【００５７】
詳述すれば、前記外側電極体２３は有底筒状に形成され、その内方底部には電気絶縁材料によって形成されたスペーサーＳ４が一体的に内装されており、このスペーサーＳ４に、内側電極体２２の一端部が、螺子部２２ａを介して螺合させられている。
【００５８】
これによって、前記内側電極体２２が、外側電極体２３の中心部に、この外側電極体２３との間に所定間隔を形成するように保持されている。
【００５９】
また、前記外側電極体２３の他端開口部に装着される前記スペーサーＳ３は、外側電極体２３の開口部内側に嵌合させられる小径部ｃと、外側電極体２３の端部の端面に当接させられる大径部ｄとを備えている。
【００６０】
そして、本実施形態においては、前記内側電極体２２と前記支持体２１とが連続した棒状に一体形成されており、外側電極体２３の内側に位置する部位が内側電極体２２となされ、外側電極体２３の外側に位置する部位が支持体２１となされている。
【００６１】
ここで、前記支持体２１が前記スペーサーＳ３の中心を貫通する形態で位置決めされ、かつ、内側電極体２２の先端部が外側電極体２３の内側底部に固着されているスペーサーＳ４の中心部に螺合させられ、これによって、内側電極体２２が外側電極体２３の中心部に保持されているとともに、内側電極体２２と外側電極体２３との間に均一な隙間Ｇが形成される。
【００６２】
したがって、両スペーサーＳ３・Ｓ４、および、隙間Ｇの空気層によって、本実施形態における電気絶縁層Ｓが構成されている。
【００６３】
また、前記支持体２１を構成する部位は全ねじ構造となされ、スペーサーＳ３の外端面に当接させられるとともに、このスペーサーＳ３を外側電極体２３に圧接させるロックナット２４と、支持体２１の外側の端部に、固定用のプレート２５を固定するためのロックナット２６が螺合させられている。
【００６４】
さらに、外側電極体２３の側壁には、その内外部を連通するように形成されて隙間Ｇ内の圧力上昇を抑制する貫通孔２７が形成されている。この貫通孔２７には、水滴の侵入を防止する逆止弁
【００６５】
このように構成された本実施形態の避雷器２０は、支持体２１あるいはプレート２５を用いて、落雷から保護する被保護領域に設置するとともに、支持体２１を介して、あるいは、接地線を用いて内側電極体２２を接地することにより避雷装置を構成する。
【００６６】
このように設置された避雷器２０は、支持体２１を下方にして、その上方に延びるように、外側電極体２３が鉛直方向に沿って配置される。
【００６７】
そして、前述した第１の実施形態において説明したのと同様の作用により、雷雲Ｃが近づいて大地Ｅにプラスイオンが帯電した際に、前記外側電極体２３がマイナスイオンに帯電する。
【００６８】
このような外側電極体２３によって形成されるマイナスイオン領域により、避雷装置が設置された被保護領域からの上向きストリーマの発生が抑制されて、落雷が抑制される。
【００６９】
そして、本実施形態を用いた避雷装置においては、外側電極体２３が鉛直方向上方に向けて設置されるとともに、外側電極体２３が有底筒状に形成されて、外側電極体２３の上端部にもマイナスイオンが帯電させられることから、そのマイナスイオン領域を広く確保することができる。
これによって、前述した落雷抑制効果を高めることができる。
【００７０】
図６は本発明の第３の実施形態を示すものである。
なお、同図において、先の第３の実施形態と基本的に同一の部材については同一の符号を付してその説明を簡略化する。
この実施形態においても、図５に示す実施形態と同様に、支持体２１を兼ねた内側電極体２２、外側電極体２３、スペーサーＳ３、Ｓ４、ボルト孔２５a付きのプレート（フランジ）２５を備えている。
【００７１】
但し、この実施形態では、外側電極２２及び支持体２１が一本の良導体からなる金属製パイプ材により構成されている。また、外側電極体２３が大径の有底筒状部材により構成されている。さらに、内側電極体２２の上端が、スペーサーS４に設けられた穴４ａに嵌め込まれている。
【００７２】
また、外側電極体２３の下端は、スペーサーＳ３に設けられた環状の溝ｅにはめ込まれている。そして、支持体２１及び内側電極体２２がスペーサーＳ３を貫通する部分も含めて、全ての嵌合部分は接着剤を用いて強固に固定されている。
【００７３】
なお、この実施形態の落雷抑制型避雷器も、先の実施形態のものとほぼ同様の効果を発揮させることができるが、この実施形態では、製作性をさらに向上させることができる上に、軽量化も図りやすい構造とすることができる。
【００７４】
なお、前記各実施形態において示した各構成部材の諸形状や寸法等は一例であって、設計要求等に基づき種々変更可能である。
【００７５】
たとえば、前記各実施形態においては、電気絶縁層Ｓの構成要素として、隙間Ｇの空気層を用いる例について示したが、これに代えて、図７に示すように、隙間Ｇを埋めるようにして電気絶縁材料によって形成されたスペーサーＳ５を設けて電気絶縁層Ｓを構成するようにすることもできる。
【００７６】
図８は、本発明の第５の実施形態を示すものである。
この実施形態では、水平方向に配置される内側電極体２及び外側電極体３と、外側電極体３を支持する筒状の支持体４０と、内側電極体２に接続された導電性の接地用部材５０とを備えている。
【００７７】
内側電極体２には、本実施形態では、円筒状に形成された導電性のパイプ材が用いられている。外側電極体３には、一端が閉じられた端面３１を有する一対の有底筒状部材３０、３０が用いられ、開口側を互いに突き合わせて溶接することにより構成されている。この有底筒状部材３０、３０はねじ結合でも良い。
【００７８】
外側電極体３の両端側の内部には、絶縁性材料からなるスペーサーＳ６、Ｓ６が設けられている。そして、この両スペーサーＳ６、Ｓ６により、内側電極体２の両端が保持されている。両スペーサーＳ６、Ｓ６には、凹部６ａ、６ａが設けられ、この凹部６ａ内に内側電極体２の端部が嵌め込まれている。
【００７９】
外側電極体３の下部中央（周壁の中央）には円形の開口３２が設けられている。筒状の支持体４０は、その端部口縁が開口３２の周囲を覆う形態で外側電極体３に溶接止めされている。接地用部材５０は、この筒状の支持体４０内を通って下方に伸びている。接地用部材５０には、高さ調整用支持部材６０等に接続するためのフランジ４１が設けられている。符号４３はボルト孔を、４４は絶縁スペーサーを示している。
【００８０】
接地用部材５０の下端には、ねじ穴５１が設けられている。符号５２は、接地用部材５に連結される接地用連結部材であり、その上端には、ねじ穴５１にねじ込んで連結する雄ねじ５３が設けられている。
【００８１】
この実施形態では、構造の簡素化や軽量化、製作性の向上等を図ることができるだけでなく、外側電極体が機能する領域を支持体４０にまで広げることができる。これにより落雷抑制機能を高めることができる。
【００８２】
なお、
【産業上の利用可能性】
【００８３】
本発明の落雷抑制型避雷装置および避雷器は、落雷を抑制することで、各種の建築物や構造物、各種設備機器、通信設備等の被保護体を保護する避雷設備として有効活用できる。
【符号の説明】
【００８４】
１  （落雷抑制型）避雷器
２  内側電極体
２ａ  螺子部
２ｂ  雌ねじ部
３  外側電極体
３ａ  挿入孔
４  支持体
４ａ  螺子部
５  プレート
６  ロックナット
７  ロックナット
８  貫通孔
２０  避雷器
２１  支持体
２２  内側電極体
２２ａ  螺子部
２３  外側電極体
２４  ロックナット
２５  プレート
２６  ロックナット
２７  貫通孔
４０  筒状の支持体
５０  接地用部材
５２  接地用連結部材
６０  高さ調整部材
Ｃ  雷雲
Ｅ  大地
Ｇ  隙間
Ｓ  電気絶縁層
Ｓ１  スペーサー
Ｓ２  スペーサー
Ｓ３  スペーサー
Ｓ４  スペーサー
Ｓ５  スペーサー
Ｓ６  スペーサー
ａ  小径部
ｂ  大径部
ｃ  小径部
ｄ  大径部
Ｚ  避雷装置
【図１】
2019083169.tif 000003
【図２】
2019083169.tif 000004
【図３】
2019083169.tif 000005
【図４】
2019083169.tif 000006
【図５】
2019083169.tif 000007
【図６】
2019083169.tif 000008
【図７】
2019083169.tif 000009
【図８】
2019083169.tif 000010